(57)【特許請求の範囲】
【請求項１】
カーボンを含有する竿本体が貫通しているリールシートは、竿本体に固定されたシート本体と、該シート本体と協働してリールの脚部を前後に挟み込んで固定すべく、竿本体の軸方向に移動可能な可動部材とを備えている釣竿において、シート本体は、竿本体が挿通する竿挿通孔を有する前後の壁部と、該前後の壁部を竿本体を中心としてその左右両側で連結する両側壁部とからなる金属製の胴部を備え、シート本体は、前記可動部材が外装着される絶縁性のパイプ状の部材を備え、竿本体に外嵌固定された絶縁性のパイプ状の部材が前記胴部の前方側の壁部に係合する一方、竿本体の外周面に固着された絶縁性のグリップが胴部の後方側の壁部に係合することにより、胴部が竿本体に接触しないようにシート本体は竿本体に固定されていることを特徴とする釣竿。
【発明の詳細な説明】
【０００１】
【発明の属する技術分野】
本発明はリールを釣竿に固定するためのリールシートを備えた釣竿の改良に関する。
【０００２】
【従来の技術】
一般に、釣竿には、リールを固定するためにリールシートが竿本体に装着されており、そのうち、いわゆるパイプシートと称されるパイプ型のリールシートを装着することが多く、その装着状態では竿本体がリールシートを貫通する。
【０００３】
かかるリールシートは、竿本体に固定されたシート本体と、該シート本体と協働してリールの脚部を前後に挟み込んで固定すべく、竿本体の軸方向に移動可能な可動部材とを備えている。
【０００４】
【発明が解決しようとする課題】
しかるに、従来のリールシートは、シート本体が合成樹脂から形成されていたため十分な強度の確保が容易でない。そこで、シート本体を金属製とすることを考えたが、その場合には、竿本体がカーボンを含有しているためシート本体の竿本体に接触する部分に電食が発生するおそれがある。
【０００５】
それゆえに本発明は、上記従来の問題点に鑑みてなされ、リールシートの強度の確保が容易で且つ電食の発生を防止できる釣竿を提供することを課題とする。
【０００６】
【課題を解決するための手段】
本発明は、上記課題を解決すべくなされたものであり、本発明に係る釣竿は、カーボンを含有する竿本体が貫通しているリールシートは、竿本体に固定されたシート本体と、該シート本体と協働してリールの脚部を前後に挟み込んで固定すべく、竿本体の軸方向に移動可能な可動部材とを備えている釣竿において、シート本体は、竿本体が挿通する竿挿通孔を有する前後の壁部と、該前後の壁部を竿本体を中心としてその左右両側で連結する両側壁部とからなる金属製の胴部を備え、シート本体は、前記可動部材が外装着される絶縁性のパイプ状の部材を備え、竿本体に外嵌固定された絶縁性のパイプ状の部材が前記胴部の前方側の壁部に係合する一方、竿本体の外周面に固着された絶縁性のグリップが胴部の後方側の壁部に係合することにより、該胴部が竿本体に接触しないようにシート本体は竿本体に固定されていることを特徴とする。
【０００７】
ここで、金属製の部位が竿本体に接触しないようにするためには、シート本体の金属製の部位と竿本体の外周面との間に隙間を設けたり、シート本体の金属製の部位と竿本体の外周面との間に絶縁性の絶縁部を介在させることができる。
前者は隙間を設ける構成なるため簡易な構成で接触を防止でき、後者の構成では絶縁部を介在させるため電食防止の確実性が高まる。尚、絶縁部としては、シート本体の絶縁性の部位の他、シート本体とは別体の他の絶縁性の部材とすることも可能である。
【０００８】
また、竿本体へのシート本体の固定手段も種々有る。即ち、シート本体が絶縁性の部位を有し、シート本体はその絶縁性の部位で竿本体に固定されている構成とすることができる他、シート本体は絶縁性の他の部材を介して竿本体に固定されている構成としてもよい。特に、シート本体を絶縁性の他の部材を介して竿本体に間接的に固定する構成とすれば、例えばシート本体全体を金属製とすることができるなど、シート本体のうちの金属製の部位の割合を容易に大きくすることができるという利点がある。
【００１０】
【発明の実施の形態】
以下、本発明に係る釣竿の一実施形態について、図面を参酌しつつ説明する。
図１に示す釣竿は、ルアー用の釣竿で、一般にベイトリールと称される同軸リールが取り付けられて使用されるものであり、リールシート１もベイトリールが装着されることを想定して構成されている。
【００１１】
該リールシート１は、全体としてパイプ状に形成された、いわゆるパイプシートと称されるタイプのものであり、竿本体２に外装着されている。即ち、竿本体２はリールシート１を軸方向の前後に貫通している。そして、リールシート１は、その後方側のグリップ３と共にハンドル部を構成し、釣竿の竿元に位置する。該グリップ３はコルクから形成されており、竿本体２の外周面に固着されており、その前端部には、係合凸部３ａが突設されている。
【００１２】
また、リールシート１は、グリップ３の前方に位置し、竿本体２に固定されたパイプ状のシート本体と、該シート本体と協働してリールＲの脚部を前後に挟み込んで固定すべく、竿本体２の軸方向に移動可能な可動部材とから構成される。また、該可動部材は、筒状の差込リング４と、該差込リング４を後方側に押圧して移動させる固定ナット５とから構成される。
【００１３】
前記シート本体は、リールＲの脚部の後方側の端部が差し込まれる差込部７と指を引っかけるためのトリガー８とを備えた金属製の胴部６と、該胴部６の上下方向の貫通孔９の上下両開口部を各々閉塞する合成樹脂からなる蓋体１０，１１と、前記固定ナット５が螺合する雄ネジ部が形成された合成樹脂からなる雄ネジ部材１２とから構成されている。
【００１４】
前記胴部６は、竿本体２が挿通する丸孔状の竿挿通孔１３を有する前後の壁部１４，１４と、該前後の壁部１４，１４を竿本体２を中心としてその左右両側で連結する両側壁部１５，１５とからなり、例えばアルミニウムやニッケルやクロム等（各々の合金を含む）からなる。そして、前後の壁部１４，１４と両側壁部１５，１５で囲まれた内側には上下方向に貫通する上面視矩形の貫通孔９が形成されている。該貫通孔９は竿本体２の軸線を上下方向に横断しており、図４の如く、その左右方向の幅Ｗが竿本体２の直径Ｄよりも幅広であり、且つ、竿本体２の軸線を中心として左右均等に形成されている。従って、該貫通孔９の左右両側に位置する両側壁部１５，１５は竿本体２の外周面とは非接触の状態にある。また、図４の如く、両側壁部１５，１５と竿本体２との間には、前記上下の蓋体１０，１１に各々その内面側に突設された左右の爪部１０ａ，１１ａ（絶縁部）が介在している。
【００１５】
また、後方側の壁部１４には、その上面に前記差込部７が、下面にはトリガー８が一体的に形成されている。また、後方側の壁部１４の竿挿通孔１３を竿本体２が貫通しているが、後方側の壁部１４の前方領域においては、竿挿通孔１３の内周面と竿本体２の外周面との間に環状の隙間が設けられ、後方領域においては、該壁部１４の後端部に前記グリップ３の係合凸部３ａが係合することにより、竿挿通孔１３の内周面と竿本体２の外周面との間には係合凸部３ａ（絶縁部）が介在した状態にある。従って、該後方側の壁部１４も竿本体２とは非接触の状態にある。
【００１６】
一方、前方側の壁部１４も同様に竿本体２とは非接触の状態にある。即ち、その後方側の領域においては、竿挿通孔１３の内周面と竿本体２の外周面との間に環状の隙間が形成され、前方側の領域においては、雄ネジ部材１２の後端部１２ａが係合することにより、竿挿通孔１３の内周面と竿本体２の外周面との間には所定角度領域に亘って雄ネジ部材１２の後端部１２ａ（絶縁部）が介在している。
【００１７】
また、胴部６の前端部に係合且つ固着されたパイプ状の雄ネジ部材１２は、竿本体２に外嵌固定されており、その後方側外周面に前記差込リング４が軸方向に移動可能且つ回転不能に外装着されており、また、その前方側外周面には雄ネジ部が形成されて前記固定ナット５が螺合している。
【００１８】
以上のように、シート本体は、シート本体とは別体の他の絶縁性の部材たるコルク製のグリップ３を介して竿本体２に固定されると共に、シート本体を構成する絶縁性の部位たる雄ネジ部材１２で竿本体２に固定されており、これによって、シート本体は金属製の胴部６が竿本体２に接触しないように竿本体２に固定されている。
【００１９】
尚、前記差込リング４には、リールＲの脚部の前方側の端部が差し込まれる差込部１６が設けられており、シート本体の差込部７と協働してリールＲの脚部を前後に挟み込んで固定する構成であり、固定ナット５を後方側に締め込むことで差込リング４を後方側に移動させてリールＲの脚部を固定する。
【００２０】
また、竿本体２は、強化繊維としてのカーボン繊維に合成樹脂が含浸されて形成されたプリプレグをマンドレルに巻回して焼成することにより管状に成形されたものであって導電性を有している。
【００２１】
以上のように本実施形態の釣竿では、シート本体に金属製の胴部６を設けたことにより、竿本体２を伝達してきた魚のあたりやルアーの動き等の振動のリールＲシートにおける減衰が小さくなり、微妙な振動も釣り人に伝わることとなる。しかも、上述のように、シート本体をコルク製のグリップ３を介して竿本体２に固定し、また、シート本体の部位である雄ネジ部材１２でシート本体を竿本体２に固定する構成としたので、金属製の胴部６が竿本体２に接触した場合に発生するおそれのある胴部６の電食を防止しつつ、シート本体を確実に竿本体２に固定することができる。また、胴部６と竿本体２との間に隙間を設けると共に、胴部６と竿本体２の外周面との間に、コルク製のグリップ３の係合凸部３ａや両蓋体１０，１１の爪部１０ａ，１１ａや雄ネジ部材１２の後端部１２ａ等の絶縁性の絶縁部を介在させることによって、胴部６と竿本体２の外周面との接触を確実に防止できる。そして、従来のようにシート本体全体が合成樹脂製である構成とは異なり、シート本体の主要部たる胴部６を金属製とすることによって十分な強度を確保することができる。
【００２２】
尚、雄ネジ部材１２が竿本体２に遊嵌するよう構成すると共に、シート本体の前方に別途絶縁性の他の部材を設け、シート本体をこの部材とグリップ３とを介して竿本体２に固定する構成としてもよい。逆に、シート本体に、胴部６の後方側の位置に絶縁性の部位を設け、該部位と雄ネジ部材１２とでシート本体を竿本体２に固定する構成とすることもできる。
また、図６のようにスピニングリールに対応したリールシート１であっても同様である。
【００２３】
また、上記実施形態では、シート本体のうちの竿本体２と接触する部位を合成樹脂の雄ネジ部材１２として胴部６の電食を防止してなるが、図５の如く、金属製の胴部６が竿本体２に両竿挿通孔１３，１３にて直接接触する構成とする場合には、胴部６と竿本体２との接触部分Ｓである両竿挿通孔１３，１３の内周面や竿本体２の外周面の該当個所に絶縁性塗料を塗布することによって、胴部６の電食を防止できる。尚、絶縁性塗料としては、例えば、エポキシ系塗料やウレタン系塗料を用いることができる。また、胴部６と竿本体２との接触部分Ｓにおいて、胴部６と竿本体２のうちの少なくとも一方に塗布すればよいが、胴部６側に塗布した方が、組立性がよく電食の防止がより簡易となる。
【００２４】
尚、上記説明では、胴部６を金属製としているが、シート本体全体を金属製としたり他の部位を金属製とするなど、適宜設計変更可能である。
【００２５】
【発明の効果】
以上のように、シート本体に金属製の部位を設けたことによって容易に強度を確保でき、しかも、その金属製の部位が竿本体に接触しないようにシート本体を固定したり、金属製の部位と竿本体との接触部分においてシート本体や竿本体に絶縁性塗料を塗布することで金属製の部位の電食を確実に防止できる。
【図面の簡単な説明】
【図１】本発明の一実施形態における釣竿の要部を示す側面図。
【図２】同釣竿の要部を示し、（イ）は平面図、（ロ）は底面図。
【図３】図２（イ）のＡ−Ａ断面図。
【図４】図３及び図５のＢ−Ｂ断面図。
【図５】他実施形態における釣竿の要部断面図。
【図６】他実施形態における釣竿の要部断面図。
【符号の説明】
１…リールシート、２…竿本体、３…グリップ、３ａ…係合凸部、４…差込リング、５…固定ナット、６…胴部、７，１６…差込部、８…トリガー、９…貫通孔、１０，１１…蓋体、１０ａ，１１ａ…爪部、１２…雄ネジ部材、１２ａ…後端部、１３…竿挿通孔、１４…壁部、１５…側壁部、Ｓ…接触部分、Ｒ…リール
【図１】
0004413348.tif 000002
【図２】
0004413348.tif 000003
【図３】
0004413348.tif 000004
【図４】
0004413348.tif 000005
【図５】
0004413348.tif 000006
【図６】
0004413348.tif 000007